【事件の表示】
　特願２０１５−１６８３８０号「遊技機」拒絶査定不服審判事件〔平成２９年３月２日出願公開、特開２０１７−４２４５９号〕について、次のとおり審決する。
【結　論】
　本件審判の請求は、成り立たない。
【理　由】
第１　手続の経緯の概要　本願は、平成２７年８月２７日の出願であって、平成２９年１月１０日に上申書および手続補正書が提出され、平成２９年７月１９日付けで拒絶の理由が通知され、同年９月２５日に意見書および手続補正書が提出され、平成３０年２月２３日付けで最後の拒絶の理由が通知され、同年７月５日に意見書および手続補正書が提出され、さらに、同年１２月２０日付けで最後の拒絶の理由が通知され、令和１年５月７日に意見書および手続補正書が提出されたところ、同年８月２１日付け（送達日：同年９月３日）で、令和１年５月７日付け手続補正書が却下されるとともに拒絶査定（以下「原査定」という。）がなされ、それに対して、同年１１月２７日に拒絶査定不服審判の請求がなされると同時に手続補正がなされたものである。
　
第２　令和１年１１月２７日にされた手続補正についての補正の却下の決定
［補正の却下の決定の結論］
　令和１年１１月２７日にされた手続補正（以下「本件補正」という。）を却下する。
　
［理由］
　１　補正の内容
　本件補正により、平成３０年７月５日付け手続補正書の特許請求の範囲の請求項１における
「【請求項１】
　遊技盤に配置された複数の検出センサ部と、
　複数の前記検出センサ部の一部の検出センサ部はコネクタ部材により接続され、当該検出センサ部からの信号を直接主制御基板に入力する一方で、複数の前記検出センサ部の直接主制御基板に入力する検出センサ部以外の検出センサ部がコネクタ部材により接続されて、当該検出センサ部からの信号を前記主制御基板に伝送する中継基板とが備えられた遊技機において、
　前記中継基板は、センサ信号入力部と検知回路部とを備え、
　前記センサ信号入力部は、電圧出力部と該電圧出力部に電気的に接続されている電圧かさ上げ部を有し、
　前記検知回路部には、複数の前記センサ信号入力部が電気的に接続されており、
　前記中継基板は前記主制御基板とさらにコネクタ部材により接続され、前記中継基板を介して伝送する信号が前記主制御基板に入力され、
　前記中継基板には、
　前記検出センサ部が第１の状態のときは第１の電圧とする一方、前記検出センサ部が第２の状態のときは前記第１の電圧よりも低い電圧である第２の電圧とする電圧出力部と、
　前記電圧出力部からの前記第１の電圧または前記第２の電圧に対応して検出信号の出力のオンオフを切り換える検知回路部と、
　前記検出センサ部と前記電圧出力部とが前記検出センサ部を前記中継基板に接続するコネクタ部材を介して電気的に接続され、当該コネクタ部材に起因する前記第２の電圧よりも高く前記第１の電圧よりも低い所定の電圧が印加されても、前記検知回路部に対する前記所定の電圧による作用を回避するために、前記検知回路部の前記検出信号の出力が切り換わるための前記電圧出力部からの電圧をかさ上げする電圧かさ上げ部が備えられ、
　前記検知回路部が、
　前記検出センサ部が断線し、前記電圧出力部が前記第１の電圧とされて前記検出信号の出力をオンしたとき、報知手段が、前記遊技盤に設けられた演出表示装置において報知をする
ことを特徴とする遊技機。」は、
　審判請求時に提出された手続補正書（令和１年１１月２７日付け）の特許請求の範囲の請求項１における
「【請求項１】
　遊技盤に配置された複数の
磁気
遊技球を検出する始動口センサ部と、を有し
　
前記始動口
中継基板を介することなく
の主制御入力回路
磁気
からの信号は前記中継基板を介して前記主制御基板の前記主制御入力回路へ入力する
　前記中継基板は、センサ信号入力部と検知回路部とを備え、
　前記センサ信号入力部は、電圧出力部と該電圧出力部に電気的に接続されている電圧かさ上げ部を有し、
　前記検知回路部には、複数の前記センサ信号入力部が電気的に接続されており、
　前記中継基板は前記主制御基板と
主
電気的に
され
の前記主制御入力回路
　前記中継基板には、
　前記
磁気
磁気
　前記電圧出力部からの前記第１の電圧または前記第２の電圧に対応して検出信号の出力のオンオフを切り換える検知回路部と、
　前記
磁気
副
副
発生する接触抵抗に
定電
定電
らないように前記所定電圧による作用を回避させるツェナーダイオードを用いずに抵抗素子からなる
　前記検知回路部が、
　前記検出センサ部
と接続される前記副コネクタ部材
ことを特徴とする遊技機。」に補正された（下線は、補正箇所を明示するために当審判合議体にて付した。）。
　
　２　補正の適否
　２−１　補正の目的および新規事項について
　本件補正は、補正前の請求項１に記載した発明を特定するために必要な事項である「検出センサ部」に関して、以下の３つの点で限定するものである。
　・「遊技盤に配置された複数の検出センサ部」を「遊技盤に配置された複数の
磁気
遊技球を検出する始動口センサ部
　・「複数の前記検出センサ部の一部の検出センサ部はコネクタ部材により接続され、当該検出センサ部からの信号を直接主制御基板に入力する一方で、」を「
前記始動口
中継基板を介することなく
の主制御入力回路
　・「複数の前記検出センサ部の直接主制御基板に入力する検出センサ部以外の検出センサ部がコネクタ部材により接続されて、当該検出センサ部からの信号を前記主制御基板に伝送する中継基板とが備えられた遊技機において、前記中継基板は前記主制御基板とさらにコネクタ部材により接続され、前記中継基板を介して伝送する信号が前記主制御基板に入力され、」を「複数の前記
磁気
からの信号は前記中継基板を介して前記主制御基板の前記主制御入力回路へ入力する
主
電気的に
され
の前記主制御入力回路
　また、補正前の請求項１に記載した発明を特定するために必要な事項である「電圧かさ上げ部」に関して、「当該コネクタ部材に起因する前記第２の電圧よりも高く前記第１の電圧よりも低い所定の電圧が印加されても、前記検知回路部に対する前記所定の電圧による作用を回避するために、前記検知回路部の前記検出信号の出力が切り換わるための前記電圧出力部からの電圧をかさ上げする」とあったものを「当該
副
発生する接触抵抗に
定電
定電
らないように前記所定電圧による作用を回避させるツェナーダイオードを用いずに抵抗素子からなる
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　なお、「断線」に関し、「前記検出センサ部が断線し」とあったものを「前記検出センサ部
と接続される前記副コネクタ部材
　また、本件補正の補正事項は、願書に最初に添付した明細書（以下「当初明細書」という。）の段落【０８０２】、【１６２３】、【１６２６】、【１６４２】、【１６４４】、【１６８１】の記載、および、【図１７７】の図示内容に基づくものであり、新規事項を追加するものではないから、特許法第１７条の２第３項に規定する要件を満たす。
　　　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　（１）本件補正発明
　本件補正発明は、次のとおりのものであると認める（記号Ａ〜Ｆは、分説するため当審判合議体にて付した。）。
「Ａ　遊技盤に配置された複数の
磁気
遊技球を検出する始動口センサ部と、を有し
　Ｂ１　
前記始動口
中継基板を介することなく
の主制御入力回路
磁気
からの信号は前記中継基板を介して前記主制御基板の前記主制御入力回路へ入力する
　Ｃ１　前記中継基板は、センサ信号入力部と検知回路部とを備え、
　Ｃ２　前記センサ信号入力部は、電圧出力部と該電圧出力部に電気的に接続されている電圧かさ上げ部を有し、
　Ｃ３　前記検知回路部には、複数の前記センサ信号入力部が電気的に接続されており、
　Ｂ２　前記中継基板は前記主制御基板と
主
電気的に
され
の前記主制御入力回路
　Ｄ　前記中継基板には、
　Ｄ１　前記
磁気
磁気
　Ｄ２　前記電圧出力部からの前記第１の電圧または前記第２の電圧に対応して検出信号の出力のオンオフを切り換える検知回路部と、
　Ｄ３　前記
磁気
副
副
発生する接触抵抗に
定電
定電
らないように前記所定電圧による作用を回避させるツェナーダイオードを用いずに抵抗素子からなる
　Ｅ　前記検知回路部が、
　前記検出センサ部
と接続される前記副コネクタ部材
　Ｆ　ことを特徴とする遊技機。」
　
　（２）引用発明
　原査定の拒絶の理由に引用文献として引用された、本願の出願前に頒布された特開２０１２−９５８３５号公報（平成２４年５月２４日公開）（以下「引用文献１」という。）には、図面とともに以下の事項が記載されている（下線は当審判合議体にて付した。以下同じ。）。
　　　ア　記載事項
　　　（ア）「【技術分野】
【０００１】
　本発明は、弾球遊技機やスロットマシンなど、遊技動作に起因する抽選処理によって大当たり状態を発生させる遊技機に関し、特に、違法遊技を有効に排除でき、機種変更も容易な遊技機に関する。」
　
　　　（イ）「【発明が解決しようとする課題】
【０００６】
　しかしながら、遊技盤のデザインは、遊技機毎に変更されるので、磁気センサの配置個数や配置位置を一定化させることはできない。そのため、磁気センサの個数の変更に対応して、その都度、制御基板の回路構成を変更する必要が生じるが、かかる機種変更時に必要最小限の回路変更だけで対応できる構成が望まれる。また、磁気センサに代えて、電波センサを配置する場合でも、その配置位置や配置個数の変更に容易に対応できる構成が望まれる。
　また、これらセンサの断線を直ちに検出できる簡易な構成も望まれる。
【０００７】
　本発明は、上記の問題点に鑑みてなされたものであって、違法遊技を効果的に排除することができ、また、遊技機の機種変更にも最小限の回路変更で対処できる遊技機を提供することを目的とする。」
　
　　　（ウ）「【図面の簡単な説明】
【００１４】
・・・
【図４】
遊技盤中継基板の回路構成を示すブロック図である。
・・・
【図７】
遊技盤中継基板の変形回路構成を示すブロック図である。
・・・
【発明を実施するための最良の形態】
【００１５】
　以下、本発明の実施態様について詳細に説明する。図１は、本実施態様のパチンコ機ＧＭを示す斜視図である。この
パチンコ機ＧＭ
・・・
【００１９】
「図２に示すように、
遊技盤５には、
液晶カラーディスプレイで構成された表示装置ＤＩＳＰが配置されている。
　
　　　（エ）「【００４２】
　また、
主制御部２１は、遊技盤中継基板２９を経由して、遊技盤５の各遊技部品に接続されている。
遊技盤上の各入賞口１６〜１８に内蔵された検出スイッチのスイッチ信号を受ける
スイッチ信号には、図柄始動口１５から主制御部２１に伝送される二系統の入賞スイッチ信号ＳＷａ、ＳＷｂが含まれる。
【００４３】
　図４は、遊技盤中継基板２９の部分を詳細に図示した回路図である。図示の通り、本実施形態の遊技盤中継基板２９には、開閉爪１５ａ及び開閉板１６ａに対応する２つのソレノイドＬ１，Ｌ２と、各種の入賞口１５〜１７及びゲート１８に対応する合計７個の検出スイッチＳＷ１〜ＳＷ７と、が接続されている。なお、ソレノイドＬ１，Ｌ２は、主制御基板２１のドライバで駆動され、検出スイッチＳＷ１〜ＳＷ７の検出出力は、
主制御基板２１のバッファに伝送される。
【００４４】
　また、本実施例では、
図柄始動口１５や大入賞口１６に対応して、複数個の磁気センサＳＥ１〜ＳＥｎのセンサユニットが遊技盤の適所に配置されている。
磁気センサＳＥ１〜ＳＥｎは、コネクタＣｏ１〜Ｃｏｎを通して、遊技盤中継基板２９に接続されている
磁気センサＳＥ１〜ＳＥｎは、正常時にはＯＮ動作し、違法磁気を検出するとＯＦＦ動作する出力スイッチＱＳが設けられている
【００４５】
　一方、
遊技盤中継基板２９には、磁気センサＳＥ１〜ＳＥｎに対応して、ｎ個のスイッチングトランジスタＱｓ１〜Ｑｓｎが配置され
各トランジスタＱｓ１〜Ｑｓｎのベース端子に
各トランジスタＱｓ１〜Ｑｓｎのベース端子は、バイアス抵抗（ベース抵抗）Ｒｓ１〜Ｒｓｎを通して、直流電圧５Ｖを受けており、
全てのコレクタ端子は、
単一のプルアップ抵抗Ｒｐに接続され、プルアップ抵抗Ｒｐには直流電圧５Ｖが供給されている。
【００４６】
　上記の構成を有する遊技盤中継基板２９は、コネクタＣＮ２を通して、主制御基板２１のコネクタＣＮ３に接続されている。そして、２つのコネクタＣＮ２，ＣＮ３は３本の配線ケーブルで接続されており、３本の配線ケーブルは、直流電圧５Ｖの電源ラインＶｃｃと、グランドラインＧＮＤと、
各トランジスタＱｓ１〜Ｑｓｎのコレクタ端子に接続された信号ラインＳＧ
【００４７】
　
コネクタＣＮ３の信号ラインＳＧは、スイッチングトランジスタＱのベース端子に接続され、
は
【００４８】
　本実施例の遊技盤中継基板２９と主制御基板２１は、上記の通りに構成されているので、次の通りに動作する。先ず、
正常時には、全ての磁気センサＳＥ１〜ＳＥｎがＯＮ状態であるので、全てのトランジスタＱｓ１〜ＱｓｎはＯＦＦ状態となる。そのため、信号ラインＳＧはＨレベルとなり、
【００４９】
　一方、
磁気センサＳＥ１〜ＳＥｎの何れか１個以上が異常な磁気を検出すると、該当する磁気センサＳＥｉがＯＦＦ動作することで、対応するトランジスタＱｓｉがＯＦＦ状態からＯＮ状態に遷移し、これに対応して信号ラインＳＧがＬレベルとなる。そのため、主制御基板２１のトランジスタＱはＯＮ状態からＯＦＦ状態に遷移して、異常検出電圧ＶｏがＨレベル（異常検出レベル）となる。したがって、このことを検知した主制御基板２１のＣＰＵは、適宜な異常報知動作を実行することができる。
【００５０】
　ところで、本実施例の構成によれば、遊技機の設計変更などによって入賞口の数や配置位置が変更されても、遊技盤中継基板２９だけを交換すれば足り、主制御基板２１の回路変更が不要となる。すなわち、入賞口の個数や磁気センサの個数に対応する回路構成を有する遊技盤中継基板２９を用意するだけで、遊技機の設計変更に対応することができる。
【００５１】
　また、本実施例の構成によれば、磁気センサＳＥ１〜ＳＥｎの断線や、コネクタＣＮ２〜ＣＮ３間の断線を検出することもできる。例えば、
違法遊技者が磁気センサＳＥｉを外したような場合には、対応するトランジスタＱｓｉがＯＮ状態となるので、
異常検出電圧ＶｏがＨレベル（異常検出レベル）となる。
　
　　　（オ）「【図４】
」
　
　　　（カ）「【００６０】
　このような場合、電流制限抵抗ｒは、ｒ＝（Ｖ１−Ｖｆ）／Ｉｆより、５０Ω程度である。そして、抵抗Ｒ１，Ｒ２は、このような正常時にもトランジスタＱが確実にＯＮ動作する値に設計されている。具体的には、
トランジスタのベース・エミッタ間の電圧Ｖｂｅ
Ｖｂｅ＝０．６Ｖ
　
　　　（キ）「【００６５】
　なお、発光ダイオードＤｉによって、異常発生箇所を報知する構成は、図４の回路構成に付加することもできる。図７は、この回路構成を例示したものであり、各トランジスタＱｓ１〜Ｑｓｎのコレクタ端子には、発光ダイオードＤ１〜Ｄｎが接続されている。そして、信号ラインＳＧと発光ダイオードＤ１〜Ｄｎのアノード端子の間には、バイアス抵抗（ベース抵抗）Ｒ２が接続され、電源ラインＶｃｃと発光ダイオードＤ１〜Ｄｎのアノード端子の間には、プルアップ抵抗Ｒ１が接続されている。また、
主制御基板のトランジスタＱのベース端子には、ＯＦＦ動作を担保するための３個のダイオードＤａ〜Ｄｃが直列接続されている。
・・・
【００６８】
　また、この実施例では、トランジスタＱｓｉのＯＮ動作に対応して、
主制御基板２１のトランジスタＱがＯＦＦ状態に遷移するよう構成されているので、検出電圧ＶｏはＨレベル（異常レベル）となる。
【００６９】
　ここでは、発光ダイオードＤｉの通電時の順方向電圧降下ＶＦは、説明の都合上、約２．０Ｖであると仮定する。すると、
何れか１個以上の発光ダイオードＤｉの通電時には、発光ダイオードＤｉのアノード端子の電圧Ｖ１は、トランジスタＱｓｉの電圧降下を加味して２．２Ｖ程度になる。しかし、トランジスタＱのベース端子には、３つのダイオードＤａ〜Ｄｃが直列接続されているので、この程度の電圧では、トランジスタＱのＯＮ状態を維持できず、ＯＦＦ状態に遷移する。
　
　　　（ク）「【図７】
」
　
　　　イ　認定事項
　　　（ア）引用文献１には、センサユニットと遊技盤中継基板の回路構成を示すブロック図である【図４】の図示内容から、次の技術事項が示されているものと認められる。
「センサユニットの出力スイッチＱＳは、コレクタ端子、エミッタ端子を有し、
　遊技盤中継基板２９に配置されたｎ個のスイッチングトランジスタＱｓ１〜Ｑｓｎは、ベース端子、コレクタ端子、エミッタ端子を有し、
　出力スイッチＱＳのコレクタ端子は、コネクタＣｏ１〜Ｃｏｎを通して、各バイアス抵抗（ベース抵抗）Ｒｓ１〜Ｒｓｎの他端に接続され、さらに、スイッチングトランジスタＱｓ１〜Ｑｓｎのベース端子に接続され、
　出力スイッチＱＳのエミッタ端子は、接地され、
　スイッチングトランジスタＱｓ１〜Ｑｓｎのコレクタ端子に信号ラインＳＧが接続され、
　遊技盤中継基板２９には、磁気センサＳＥ１〜ＳＥｎに対応して、ｎ個のスイッチングトランジスタＱｓ１〜Ｑｓｎ、および、ｎ個のバイアス抵抗（ベース抵抗）Ｒｓ１〜Ｒｓｎが配置されていること。」
　
　　　（イ）引用文献１には、【００４９】に「磁気センサＳＥ１〜ＳＥｎの何れか１個以上が異常な磁気を検出すると、該当する磁気センサＳＥｉがＯＦＦ動作することで、対応するトランジスタＱｓｉがＯＦＦ状態からＯＮ状態に遷移し、これに対応して信号ラインＳＧがＬレベルとなる。そのため、主制御基板２１のトランジスタＱはＯＮ状態からＯＦＦ状態に遷移して、異常検出電圧ＶｏがＨレベル（異常検出レベル）となる。したがって、このことを検知した主制御基板２１のＣＰＵは、適宜な異常報知動作を実行することができる。」と記載され、【００５１】に「・・・違法遊技者が磁気センサＳＥｉを外したような場合には、対応するトランジスタＱｓｉがＯＮ状態となるので・・・異常検出電圧ＶｏがＨレベル（異常検出レベル）となる。」と記載されている。
　また、上記【図４】に、出力「Ｖｏ」が、「正常時　Ｌ」、「磁気検出時　Ｈ」、「ＣＮ２−ＣＮ３断線　Ｈ」、「Ｃｏの外部が断線　Ｈ」となることが記載されている。
　これらの記載事項からみて、引用文献１には、正常時に、異常検出電圧ＶｏがＬレベルとなり、磁気検出時、コネクタＣＮ２―ＣＮ３が断線したとき、および、コネクタＣｏが断線したときに、異常検出電圧ＶｏがＨレベルとなることが示されている。
　したがって、引用文献１には、「主制御基板２１のＣＰＵは、コネクタＣｏの外部」が断線し、対応するトランジスタＱｓｉがＯＮ状態となり、異常検出電圧ＶｏがＨレベル（異常検出レベル）となった場合、適宜な異常報知動作を実行する」ことが記載されていると認められる。
　
　　　ウ　引用発明
　上記アの記載事項および上記イの認定事項から、引用文献１には、次の発明（以下「引用発明」という。）が記載されているものと認める。
「ａ
　図柄始動口１５や大入賞口１６に対応して遊技盤の適所に配置された、複数個の磁気センサＳＥ１〜ＳＥｎ（【００４４】）と、図柄始動口１５に対応する二系統の入賞スイッチ信号ＳＷａ、ＳＷｂを検出する検出スイッチ（【００４２】、【００４３】）を備え、
　ｂ
　始動口１５からの二系統の入賞スイッチ信号ＳＷａ、ＳＷｂは、遊技盤中継基板２９を経由して、主制御基板２１のバッファに伝送され（【００４２】、【００４３】）、
　磁気センサＳＥ１〜ＳＥｎは、コネクタＣｏ１〜Ｃｏｎを通して、遊技盤中継基板２９に接続され（【００４４】）、
　遊技盤中継基板２９は、コネクタＣＮ２を通して、主制御基板２１のコネクタＣＮ３に接続され（【００４６】）、
　コネクタＣＮ３の信号ラインＳＧは、スイッチングトランジスタＱのベース端子に接続され（【００４７】）、
　液晶カラーディスプレイで構成された表示装置ＤＩＳＰが遊技盤５に配置された（【００１９】）たパチンコ機ＧＭ（【００１５】）において、
　ｃ〜ｄ（ｃ１〜ｃ３、ｄ〜ｄ３）
　複数個の磁気センサＳＥ１〜ＳＥｎのセンサユニットには、正常時にはＯＮ動作し、違法磁気を検出するとＯＦＦ動作する出力スイッチＱＳが設けられ（【００４４】）、
　遊技盤中継基板２９には、磁気センサＳＥ１〜ＳＥｎに対応して、ｎ個のスイッチングトランジスタＱｓ１〜Ｑｓｎ、および、ｎ個のバイアス抵抗（ベース抵抗）Ｒｓ１〜Ｒｓｎが配置されるとともに、単一のプルアップ抵抗Ｒｐが配置され（【００４５】、認定事項（ア））、
　出力スイッチＱＳのコレクタ端子は、コネクタＣｏ１〜Ｃｏｎを通して、一端に電圧５Ｖの印加された各バイアス抵抗（ベース抵抗）Ｒｓ１〜Ｒｓｎの他端に接続され、さらに、スイッチングトランジスタＱｓ１〜Ｑｓｎのベース端子に接続され（【００４４】、【００４５】、認定事項（ア））、
　スイッチングトランジスタＱｓ１〜Ｑｓｎのベース端子は、各バイアス抵抗（ベース抵抗）Ｒｓ１〜Ｒｓｎを通して、直流電圧５Ｖを受け（【００４５】）、
　スイッチングトランジスタＱｓ１〜Ｑｓｎのコレクタ端子が、直流電圧５Ｖが供給されている単一のプルアップ抵抗Ｒｐに接続され（【００４５】）、
　正常時には、全ての磁気センサＳＥ１〜ＳＥｎがＯＮ状態であるので、全てのスイッチングトランジスタＱｓ１〜ＱｓｎはＯＦＦ状態となり、スイッチングトランジスタＱｓ１〜Ｑｓｎのコレクタ端子に接続された信号ラインＳＧは、Ｈレベルとなり（【００４８】、認定事項（ア））、
　磁気センサＳＥ１〜ＳＥｎの何れか１個以上が異常な磁気を検出すると、該当する磁気センサＳＥｉがＯＦＦ動作することで、対応するスイッチングトランジスタＱｓｉがＯＦＦ状態からＯＮ状態に遷移し、これに対応して、スイッチングトランジスタＱｓ１〜Ｑｓｎのコレクタ端子に接続された信号ラインＳＧがＬレベルとなる（【００４９】、認定事項（ア））
　ｅ　主制御基板２１のＣＰＵは、コネクタＣｏの外部が断線し、対応するトランジスタＱｓｉがＯＮ状態となり、信号ラインＳＧの異常検出電圧ＶｏがＨレベル（異常検出レベル）となった場合、適宜な異常報知動作を実行する（認定事項（イ））
　ｆ　パチンコ機ＧＭ（【００１５】）。」
　　
　　エ　引用文献１に記載された技術事項
　引用文献１には、引用発明として認定した実施例とは別の実施例としてではあるが、主基板に搭載されたトランジスタＱについて、次の技術事項（以下「引用文献１に記載された技術事項」という。）が記載されている。
「検出電圧ＶｏがＨレベル（異常レベル）の場合、発光ダイオードＤｉのアノード端子の電圧Ｖ１は、２．２Ｖ程度になるが、トランジスタＱのベース端子に３つのダイオードＤａ〜Ｄｃが直列接続されているので、トランジスタＱのＯＦＦ動作が担保されること（【００６５】、【００６８】、【００６９】、【図７】）。」
　
　（３）対比
　本件補正発明と引用発明とを、分説に従い対比する。
　　（ａ）
　引用発明の「図柄始動口１５や大入賞口１６に対応して遊技盤の適所に配置された」ことは、本件補正発明の「遊技盤に配置された」ことに相当する。
　そして、引用発明の「複数個の磁気センサＳＥ１〜ＳＥｎ」は、本件補正発明の「複数の磁気検出センサ部」に相当する。
　また、引用発明の「図柄始動口１５に対応する二系統の入賞スイッチ信号ＳＷａ、ＳＷｂを検出する検出スイッチ」は、本件補正発明の「遊技球を検出する始動口センサ部」に相当する。
　したがって、引用発明の構成ａは、本件補正発明の構成Ａに相当する。
　
　　（ｂ１、ｂ２、ｆ）
　引用発明における構成ｂの「始動口１５からの二系統の入賞スイッチ信号ＳＷａ、ＳＷｂ」のいずれかの信号、「主制御基板２１のバッファ」は、それぞれ、本件補正発明における構成Ｂ１の「始動口検出センサ部からの信号」、「主制御基板の主制御入力回路」に相当する。
　そうすると、引用発明における構成ｂの「始動口１５からの二系統の入賞スイッチ信号ＳＷａ、ＳＷｂは、遊技盤中継基板２９を経由して、主制御基板２１のバッファに伝送され」ることと、本件補正発明における構成Ｂ１の「始動口検出センサ部からの信号を中継基板を介することなく主制御基板の主制御入力回路に入力する」こととは、「始動口検出センサ部からの信号を主制御基板の主制御入力回路に入力する」ことで共通する。
　
　そして、引用発明において、「磁気センサＳＥ１〜ＳＥｎ」は、「コネクタＣｏ１〜Ｃｏｎを通して、遊技盤中継基板２９に接続され」るとともに、「遊技盤中継基板２９は、コネクタＣＮ２を通して、主制御基板２１のコネクタＣＮ３に接続され」、さらに、「コネクタＣＮ３の信号ラインＳＧは、スイッチングトランジスタＱのベース端子に接続され」ることから、「磁気センサＳＥ１〜ＳＥｎ」からの信号は、「遊技盤中継基板２９」を経由して、「主制御基板２１」の「スイッチングトランジスタＱのベース端子」へ入力されるものである。
　ここで、引用発明の「主制御基板２１」の「スイッチングトランジスタＱのベース端子」は、本件補正発明の「主制御入力回路」に相当する。
　そうすると、引用発明における構成ｂの「磁気センサＳＥ１〜ＳＥｎは、コネクタＣｏ１〜Ｃｏｎを通して、遊技盤中継基板２９に接続され、遊技盤中継基板２９は、コネクタＣＮ２を通して、主制御基板２１のコネクタＣＮ３に接続され、コネクタＣＮ３の信号ラインＳＧは、スイッチングトランジスタＱのベース端子に接続され」ることは、本件補正発明における構成Ｂ１の「複数の磁気検出センサ部からの信号は中継基板を介して主制御基板の主制御入力回路へ入力する」ことに相当する。
　また、引用発明における構成ｂ、ｆの「パチンコ機ＧＭ」は、本件補正発明の構成Ｂ１、Ｆの「遊技機」に相当する。
　したがって、引用発明の構成ｂ、ｆと、本件補正発明の構成Ｂ１、Ｆとは、「始動口検出センサ部からの信号を主制御基板の主制御入力回路に入力する一方で、複数の磁気検出センサ部からの信号は中継基板を介して主制御基板の主制御入力回路へ入力する遊技機」である点で共通する。
　
　さらに、引用発明における構成ｂの「磁気センサＳＥ１〜ＳＥｎは、コネクタＣｏ１〜Ｃｏｎを通して、遊技盤中継基板２９に接続され、遊技盤中継基板２９は、コネクタＣＮ２を通して、主制御基板２１のコネクタＣＮ３に接続され、コネクタＣＮ３の信号ラインＳＧは、スイッチングトランジスタＱのベース端子に接続され」ることは、本件補正発明における構成Ｂ２の「中継基板は主制御基板と主コネクタ部材により電気的に接続され」ること、および、「中継基板を介して伝送される信号が主制御基板の主制御入力回路に入力され」ることにも相当する。
　したがって、引用発明の構成ｂは、本件補正発明における構成Ｂ２に相当する。
　
　　（ｄ、ｄ１）
　まず、上記（ａ）より、引用発明の「磁気センサＳＥ１〜ＳＥｎ」は、本件補正発明の「磁気検出センサ部」に相当する。
　そして、引用発明の構成ｃ〜ｄの「正常時には、全ての磁気センサＳＥ１〜ＳＥｎがＯＮ状態であるので、全てのスイッチングトランジスタＱｓ１〜ＱｓｎはＯＦＦ状態となり、スイッチングトランジスタＱｓ１〜Ｑｓｎのコレクタ端子に接続された信号ラインＳＧは、Ｈレベルとな」ることは、内部抵抗による影響を考慮しない場合、「全ての磁気センサＳＥ１〜ＳＥｎの出力スイッチＱＳがＯＮ状態である」と、全てのバイアス抵抗（ベース抵抗）Ｒｓ１〜Ｒｓｎに電流が流れ、バイアス抵抗（ベース抵抗）Ｒｓ１〜Ｒｓｎを通して、全てのスイッチングトランジスタＱｓ１〜Ｑｓｎのベース端子に直流電圧０Ｖが印加されることで、全てのスイッチングトランジスタＱｓ１〜ＱｓｎはＯＦＦ動作し、そのため、「スイッチングトランジスタＱｓ１〜Ｑｓｎのコレクタ端子に接続された信号ラインＳＧはＨレベルとな」るものである。
　次に、引用発明の構成ｂ〜ｄの「磁気センサＳＥ１〜ＳＥｎの何れか１個以上が異常な磁気を検出すると、該当する磁気センサＳＥｉがＯＦＦ動作することで、対応するスイッチングトランジスタＱｓｉがＯＦＦ状態からＯＮ状態に遷移し、これに対応して、スイッチングトランジスタＱｓ１〜Ｑｓｎのコレクタ端子に接続された信号ラインＳＧがＬレベルとなる」ことは、内部抵抗による影響を考慮しない場合、「磁気センサＳＥ１〜ＳＥｎの何れか１個以上が異常な磁気を検出すると、該当する磁気センサＳＥｉの出力スイッチＱＳがＯＦＦ動作することで」、対応するバイアス抵抗（ベース抵抗）Ｒｓ１〜Ｒｓｎに電流が流れず、バイアス抵抗（ベース抵抗）Ｒｓ１〜Ｒｓｎを通して、対応するスイッチングトランジスタＱｓｉのベース端子に直流電圧５Ｖが印加されることで、「対応するスイッチングトランジスタＱｓｉがＯＦＦ状態からＯＮ状態に遷移し」、これに対応して、「スイッチングトランジスタＱｓ１〜Ｑｓｎのコレクタ端子に接続された信号ラインＳＧがＬレベルになる」ものと解される。
　ここで、引用発明の構成ｃ〜ｄの「磁気センサＳＥ１〜ＳＥｎの何れか１個以上が異常な磁気を検出する」とき、「全ての磁気センサＳＥ１〜ＳＥｎの出力スイッチＱＳがＯＮ状態である」「正常時」は、それぞれ、本件補正発明の構成Ｂの「磁気検出センサ部が第１の状態のとき」、「磁気検出センサ部が第２の状態のとき」に相当する。
　そして、上記した引用発明の構成ｃ〜ｄから導かれる「直流電圧５Ｖ」、「直流電圧０Ｖ」は、それぞれ、本件補正発明における構成Ｃ１の「第１の電圧」、「第１の電圧よりも低い電圧である第２の電圧」に相当する。
　
　次に、引用発明の「バイアス抵抗（ベース抵抗）Ｒｓ１〜Ｒｓｎ」について検討する。
　引用発明の構成ｃ〜ｄの「バイアス抵抗（ベース抵抗）Ｒｓ１〜Ｒｓｎ」は、上記したことからみて、「全ての磁気センサＳＥ１〜ＳＥｎの出力スイッチＱＳがＯＮ状態である」場合、全てのバイアス抵抗（ベース抵抗）Ｒｓ１〜Ｒｓｎに電流が流れることで、スイッチングトランジスタＱｓ１〜Ｑｓｎのベース端子に直流電圧０Ｖを印加し、「磁気センサＳＥ１〜ＳＥｎの何れか１個以上が異常な磁気を検出」し、「該当する磁気センサＳＥｉの出力スイッチＱＳがＯＦＦ動作する」場合、バイアス抵抗（ベース抵抗）Ｒｓ１〜Ｒｓｎに電流が流れないことで、スイッチングトランジスタＱｓｉのベース端子に直流電圧５Ｖを印加するものである。
　さらに、引用発明の構成ｃ〜ｄの「バイアス抵抗（ベース抵抗）Ｒｓ１〜Ｒｓｎ」は、「遊技盤中継基板２９に」「配置され」るものである。
　したがって、引用発明の構成ｃ〜ｄの「遊技盤中継基板２９に」「配置され」る「バイアス抵抗（ベース抵抗）Ｒｓ１〜Ｒｓｎ」は、本件補正発明の構成Ｅ、Ｅ１の「中継基板に」「備えられ」る「磁気検出センサ部が第１の状態のときは第１の電圧とする一方、磁気検出センサ部が第２の状態のときは第１の電圧よりも低い電圧である第２の電圧とする電圧出力部」に相当する。
　
　　（ｄ、ｄ２）
　上記（ｄ、ｄ１）によると、引用発明の「バイアス抵抗（ベース抵抗）Ｒｓ１〜Ｒｓｎ」は、スイッチングトランジスタＱｓ１〜Ｑｓｎのベース端子に直流電圧０Ｖ、もしくは、直流電圧５Ｖを印加するものである。
　そして、引用発明の「スイッチングトランジスタＱｓ１〜Ｑｓｎ」は、「バイアス抵抗（ベース抵抗）Ｒｓ１〜Ｒｓｎ」を通して、全てのスイッチングトランジスタＱｓ１〜Ｑｓｎのベース端子に直流電圧０Ｖが印加されることで、全てのスイッチングトランジスタＱｓ１〜ＱｓｎはＯＦＦ動作し、そのため、「スイッチングトランジスタＱｓ１〜Ｑｓｎのコレクタ端子に接続された信号ラインＳＧはＨレベルとなり」、「バイアス抵抗（ベース抵抗）Ｒｓ１〜Ｒｓｎ」を通して、対応するスイッチングトランジスタＱｓｉのベース端子に直流電圧５Ｖが印加されることで、対応するスイッチングトランジスタＱｓｉがＯＦＦ状態からＯＮ状態に遷移し、これに対応して「スイッチングトランジスタＱｓ１〜Ｑｓｎのコレクタ端子に接続された信号ラインＳＧがＬレベルとな」るものである。
　ここで、上記（ｄ、ｄ１）より、引用発明の構成ｃ〜ｄより導かれる「直流電圧５Ｖ」、「直流電圧０Ｖ」は、それぞれ、本件補正発明の「第１の電圧」、「第２の電圧」に相当する。
　また、引用発明の「スイッチングトランジスタＱｓ１〜Ｑｓｎのコレクタ端子に接続された信号ラインＳＧ」が「Ｈレベル」となること、あるいは、「Ｌレベル」となることは、本件補正発明における「検出信号の出力のオンオフ」に相当する。
　さらに、引用発明の構成ｃ〜ｄの「ｎ個のスイッチングトランジスタＱｓ１〜Ｑｓｎ」、「単一のプルアップ抵抗Ｒｐ」は、「遊技盤中継基板２９に」「配置され」るものである。
　したがって、引用発明における構成ｃ〜ｄの「遊技盤中継基板２９に」「配置され」る「スイッチングトランジスタＱｓ１〜Ｑｓｎ」と、「スイッチングトランジスタＱｓ１〜Ｑｓｎのコレクタ端子」「に接続され」た「直流電圧５Ｖが供給されている単一のプルアップ抵抗Ｒｐ」とを併せたものは、本件補正発明における構成Ｅ、Ｅ２の「中継基板に」「備えられ」る「電圧出力部からの第１の電圧または第２の電圧に対応して検出信号の出力のオンオフを切り換える検知回路部」に相当する。
　
　　（ｄ、ｄ３）
　上記（ａ）より、引用発明の「磁気センサＳＥ１〜ＳＥｎ」は、本件補正発明の「磁気検出センサ部」に相当する。
　そして、上記（ｄ、ｄ１）より、引用発明の「バイアス抵抗（ベース抵抗）Ｒｓ１〜Ｒｓｎ」は、本件補正発明の「電圧出力部」に相当する。
　また、引用発明の「コネクタＣｏ１〜Ｃｏｎ」は、本件補正発明の「副コネクタ部材」に相当する。
　したがって、引用発明の構成ｃ〜ｄの「磁気センサＳＥ１〜ＳＥｎ」に「設けられ」た各「出力スイッチＱＳのコレクタ端子」が、「コネクタＣｏ１〜Ｃｏｎを通して、一端に電圧５Ｖの印加された各バイアス抵抗（ベース抵抗）Ｒｓ１〜Ｒｓｎの他端に接続され」ることと、本件補正発明の構成Ｅ、Ｅ３の「中継基板に」「備えられ」る「磁気検出センサ部と電圧出力部とが副コネクタ部材を介して電気的に接続され、コネクタ部材に発生する接触抵抗に起因する第２の電圧よりも高く第１の電圧よりも低い所定電圧が印加されても、検知回路部に対する所定電圧による作用を回避するために、検知回路部の検出信号の出力が切り換わらないように所定電圧による作用を回避させるツェナーダイオードを用いずに抵抗素子からなる電圧かさ上げ部」とは、「磁気検出センサ部と電圧出力部とが副コネクタ部材を介して電気的に接続され」ることで共通する。
　
（ｃ１、ｃ２）
　上記（ｄ、ｄ１）によると、引用発明の「バイアス抵抗（ベース抵抗）Ｒｓ１〜Ｒｓｎ」は、本件補正発明の「電圧出力部」に相当する。
　そして、引用発明の構成ｃ〜ｄにおいて、「出力スイッチＱＳのコレクタ端子は、コネクタＣｏ１〜Ｃｏｎを通して、一端に電圧５Ｖの印加された各バイアス抵抗（ベース抵抗）Ｒｓ１〜Ｒｓｎの他端に接続され」ることから、「バイアス抵抗（ベース抵抗）Ｒｓ１〜Ｒｓｎ」は、「出力スイッチＱＳ」からの信号が、「コネクタＣｏ１〜Ｃｏｎを通して」入力される入力部としても機能するものである。
　そうすると、引用発明の構成ｃ〜ｄの「バイアス抵抗（ベース抵抗）Ｒｓ１〜Ｒｓｎ」と、本件補正発明の構成Ｃ２の「電圧出力部と該電圧出力部に電気的に接続されている電圧かさ上げ部を有」する「センサ信号入力部」とは、「電圧出力部を有」する「センサ信号入力部」である点で共通する。
　
　また、上記（ｄ、ｄ２）によると、引用発明の「スイッチングトランジスタＱｓ１〜Ｑｓｎ」と、「単一のプルアップ抵抗Ｒｐ」とを併せたものは、本件補正発明における「検知回路部」に相当する。
　そして、引用発明の構成ｃ〜ｄにおいて、「ｎ個のスイッチングトランジスタＱｓ１〜Ｑｓｎ」、「ｎ個のバイアス抵抗（ベース抵抗）Ｒｓ１〜Ｒｓｎ」および「単一のプルアップ抵抗Ｒｐ」は、「遊技盤中継基板２９」に「配置される」ものである。
　そうすると、引用発明における構成ｃ〜ｄの「ｎ個のスイッチングトランジスタＱｓ１〜Ｑｓｎ」、「ｎ個のバイアス抵抗（ベース抵抗）Ｒｓ１〜Ｒｓｎ」および「単一のプルアップ抵抗Ｒｐ」が「配置される」「遊技盤中継基板２９」は、本件補正発明における構成Ｃ１の「センサ信号入力部と検知回路部とを備え」る「中継基板」に相当する。
　
　さらに、引用発明の構成ｃ〜ｄによると、「出力スイッチＱＳのコレクタ端子は、コネクタＣｏ１〜Ｃｏｎを通して、一端に電圧５Ｖの印加された各バイアス抵抗（ベース抵抗）Ｒｓ１〜Ｒｓｎの他端に接続され、さらに、スイッチングトランジスタＱｓ１〜Ｑｓｎのベース端子に接続され」るものである。
　そうすると、引用発明において、複数の「バイアス抵抗（ベース抵抗）Ｒｓ１〜Ｒｓｎ」は、「ｎ個のスイッチングトランジスタＱｓ１〜Ｑｓｎ」に接続されるものである。
　したがって、引用発明における「出力スイッチＱＳのコレクタ端子は、コネクタＣｏ１〜Ｃｏｎを通して、一端に電圧５Ｖの印加された各バイアス抵抗（ベース抵抗）Ｒｓ１〜Ｒｓｎの他端に接続され、さらに、スイッチングトランジスタＱｓ１〜Ｑｓｎのベース端子に接続され」ることは、本件補正発明における構成Ｃ３の「検知回路部には、複数のセンサ信号入力部が電気的に接続されて」いることに相当する。
　
（ｅ）
　引用発明における「コネクタＣｏの外部が断線」することは、構成ｃ〜ｄより、「コネクタＣｏ」が「磁気センサＳＥ１〜ＳＥｎ」に接続されていることから、本件補正発明における「検出センサ部と接続される副コネクタ部材が断線」することに相当する。
　そして、上記（ｄ、ｄ２）によると、引用発明の「スイッチングトランジスタＱｓ１〜Ｑｓｎ」は、本件補正発明における「検知回路部」を構成するものである。
　また、引用発明における「対応するトランジスタＱｓｉがＯＮ状態とな」ることは、上記（ｄ、ｄ１）より、対応するスイッチングトランジスタＱｓｉのベース端子に直流電圧５Ｖが印加されることによるものであって、対応するスイッチングトランジスタＱｓｉの「コレクタ端子に接続された信号ラインＳＧがＬレベルになる」ことである。
　そうすると、引用発明における「対応するトランジスタＱｓｉがＯＮ状態とな」るときと、本件補正発明における「検知回路部が」「電圧出力部が第１の電圧とされて検出信号の出力をオンしたとき」とは、「検知回路部が電圧出力部が第１の電圧とされて検出信号が出力されたとき」で共通する。
　また、引用発明における「適宜な異常報知動作を実行する」ことと、本件補正発明における「報知手段が、遊技盤に設けられた演出表示装置において報知をする」こととは、「報知手段が、報知をする」ことで共通する。
　したがって、引用発明の構成ｅと本件補正発明の構成Ｅとは、「検知回路部が、検出センサ部と接続される副コネクタ部材が断線し、電圧出力部が第１の電圧とされて検出信号が出力されたとき、報知手段が、報知をする」ことで共通する。
　
　上記（ａ）〜（ｅ）によれば、本件補正発明と引用発明は、
「Ａ　遊技盤に配置された複数の磁気検出センサ部と遊技球を検出する始動口センサ部と、を有し、
　Ｂ１’　前記始動口検出センサ部からの信号を主制御基板の主制御入力回路に入力する一方で、複数の前記磁気検出センサ部からの信号は中継基板を介して前記主制御基板の前記主制御入力回路へ入力する遊技機において、
　Ｃ１　前記中継基板は、センサ信号入力部と検知回路部とを備え、
　Ｃ２’　前記センサ信号入力部は、電圧出力部を有し、
　Ｃ３　前記検知回路部には、複数の前記センサ信号入力部が電気的に接続されており、
　Ｂ２　前記中継基板は前記主制御基板と主コネクタ部材により電気的に接続され、前記中継基板を介して伝送される信号が前記主制御基板の前記主制御入力回路に入力され、
　Ｄ　前記中継基板には、
　　Ｄ１　前記磁気検出センサ部が第１の状態のときは第１の電圧とする一方、前記磁気検出センサ部が第２の状態のときは前記第１の電圧よりも低い電圧である第２の電圧とする電圧出力部と、
　　Ｄ２　前記電圧出力部からの前記第１の電圧または前記第２の電圧に対応して検出信号の出力のオンオフを切り換える検知回路部と、
　　Ｄ３’　前記磁気検出センサ部と前記電圧出力部とが副コネクタ部材を介して電気的に接続され、
　Ｅ　前記検知回路部が、
　前記検出センサ部と接続される前記副コネクタ部材が断線し、前記電圧出力部が前記第１の電圧とされて前記検出信号が出力されたとき、報知手段が、報知をする
　Ｆ　遊技機。」の点で一致し、以下の点で相違する。
　
［相違点１］（構成Ｂ１）
　始動口検出センサ部から、主制御基板の主制御入力回路に入力する信号に関して、本件補正発明は、中継基板を介さないのに対して、引用発明は、「遊技盤中継基板２９を経由」する点。
　
［相違点２］（構成Ｃ２）
　電圧出力部を有するセンサ信号入力部に関して、本件補正発明は、電圧出力部に電気的に接続されている電圧かさ上げ部を有するのに対して、引用発明は、「バイアス抵抗（ベース抵抗）Ｒｓ１〜Ｒｓｎ」に電圧かさ上げ部が電気的に接続されていない点。
　
［相違点３］（構成Ｄ、Ｄ３）
　本件補正発明は、電圧かさ上げ部が、副コネクタ部材に発生する接触抵抗に起因する第２の電圧よりも高く第１の電圧よりも低い所定電圧が印加されても、検知回路部に対する所定電圧による作用を回避するために、検知回路部の検出信号の出力が切り換わらないように所定電圧による作用を回避させるツェナーダイオードを用いずに抵抗素子からなり、中継基板に備えられているのに対して、引用発明は、そのような構成を備えない点。
　
［相違点４］（構成Ｅ）
　副コネクタ部材が断線し、電圧出力部が第１の電圧とされたときの検知回路部の検出信号の出力に関し、本件補正発明は、出力をオンするのに対して、引用発明は、スイッチングトランジスタＱｓ１〜Ｑｓｎのコレクタ端子に接続された信号ラインＳＧがＬレベルになる点。
　
［相違点５］（構成Ｅ）
　報知手段による報知が、本件補正発明は、遊技盤に設けられた演出表示装置による報知であるのに対して、引用発明は、どの手段を用いた「異常報知動作」であるのか特定されていない点。
　
　（４）当審判合議体の判断
　　　ア　相違点１について
　上記相違点１について検討する。
　遊技機の技術分野において、始動口検出センサ部からの遊技球の検出信号を、中継基板を介さずに直接主制御基板の入力回路に入力する一方、磁気検出部からの検出信号を、中継基板を介して主制御基板の入力回路に入力することは、本願出願前に周知の技術事項である（以下「周知の技術事項１」という。）。
　例えば、令和１年８月２１日付け補正の却下の決定において提示された特開２０１５−１６０１４号公報には、以下の記載がある。
「【０３８１】
［１０−４．主制御入力回路］
主制御入力回路４１００ｂは、
磁気検出スイッチ３０４
が入力される回路である。
・・・
【０３８９】
　なお、操作スイッチ８６０ａからの操作信号は、プルアップ抵抗ＭＲ２により＋１２Ｖ側に引き上げられている。これは、操作スイッチ８６０ａからの操作信号が払出制御基板４１１０を介して入力されているためである。つまり、主制御基板４１００と払出制御基板４１１０との基板間においては、基板間を電気的に接続する配線（ハーネス）に侵入するノイズの影響を抑えるために、制御基準電圧である＋５Ｖよりも高い電圧である＋１２Ｖを用いて信号の信頼性を高めている。そこで、本実施形態では、
主制御基板４１００に直接入力される、
上始動口スイッチ３０２２、及び下始動口スイッチ２１０９からの検出信号
パネル中継端子板４１６１を介して入力される、磁気検出スイッチ３０２４
の検出信号は、主制御基板４１００に直接入力されない
　そして、以下に示す図１１には、上始動口スイッチ３０２２、下始動口スイッチ２１０９が、「パネル中継端子板４１６１」を介さずに、直接、主制御基板４１００に接続され、また、磁気検出スイッチ３０２４が、パネル中継端子板４１６１を介して主制御基板４１００に接続されていることが図示されている。
「【図１１】
　」
　特開２０１５−４３８１２号公報の【図１１】、【０３１９】には、特開２０１５−１６０１４号の【図１１】、【０３８９】と同じ内容が示されている。　
　そして、上記周知の技術事項１と引用発明とは、始動口検出センサ部からの信号と磁気検出センサ部からの信号を主制御基板の主制御入力回路に入力する構成を有する点で共通する。
　したがって、引用発明における、入賞スイッチ信号ＳＷａ、ＳＷｂおよび磁気センサＳＥ１〜ＳＥｎの検出信号の主制御基板２１への入力構成に、上記周知の技術事項１を適用して、入賞スイッチ信号ＳＷａ、ＳＷｂを、遊技盤中継基板２９を介さずに、直接、主制御基板２１へ入力し、上記相違点１に係る本件補正発明の構成とすることは当業者が適宜なし得たものである。
　
　　　イ　相違点２、３について
　上記相違点２、３は、いずれも電圧かさ上げ部に関する事項であるので、まとめて検討する。
　まず、遊技機の技術分野において、リーク電流やノイズによる影響を防止するために、検知回路部の検出信号の出力が切り換わらないように所定電圧による作用を回避させるツェナーダイオードを用いずに抵抗素子からなる電圧かさ上げ部を、スイッチングトランジスタのベース側端子側に設け、スイッチングトランジスタの誤動作を防止することは、原出願の出願前に周知の技術事項である（以下「周知の技術事項２」という。）。
　例えば、特開２０１０−１６７０４６号公報には、以下の記載がある。
「【技術分野】【０００１】
　本発明は、パチンコ機等の遊技機に係り、詳しくは、断線等の異常状態を検知し得るように構成された遊技機に関する。
【００６３】
　また、異常検知回路６１Ａは、npnトランジスタＴ３、入力側から入ってくる
リーク電流やノイズ等をグランドGNDに落とすことで該トランジスタＴ３の誤動作を防ぐベース・エミッタ間抵抗Ｒ４
　そして、以下に示す図５には、npnトランジスタＴ３の周辺にベース・エミッタ間抵抗となる抵抗Ｒ４とベース抵抗となる抵抗Ｒ５を含んだ構成が図示されている。
「【図５】
」
　上記記載により、「抵抗Ｒ４と抵抗Ｒ５によって、リーク電流やノイズ等をグランドＧＮＤに落とすことでトランジスタＴ３の誤動作を防ぐ構成」が記載されているといえる。
　特開２０１０−６６４７１号公報には、
「【技術分野】【０００１】
　・・・パチンコ機・・・」との記載、
「【００５９】
　・・・ブザー駆動回路ＢｚＣのデジトラＤＴ２・・・」との記載があり、以下に示す図８に示す回路図には、トランジスタと、そのベース抵抗およびベース・エミッタ間抵抗である２つの抵抗からなる「デジトラＤＴ２」が示されている。
「【図８】
」
　特開２０１５−１６０１４号公報には、以下の記載がある。
「【技術分野】【０００１】
　本発明は、遊技機に関するものである。」
「【０３８４】
　電源投入時から予め定めた期間内において払出制御基板４１１０に備える
操作スイッチ８６０ａからの操作信号を伝える伝送ラインは、図２３に示すように、一端が＋１２Ｖ電源ラインと電気的に接続されるプルアップ抵抗ＭＲ２の他端と電気的に接続されるとともに抵抗ＭＲ３を介してトランジスタＭＴＲ０のベース端子と電気的に接続されている。トランジスタＭＴＲ０のベース端子は、抵抗ＭＲ３と電気的に接続されるほかに、一端がグランド（ＧＮＤ）と接地される抵抗ＭＲ４の他端と電気的に接続されている。
　そして、以下に示す図２３に示す回路図には、「トランジスタＭＴＲ０」のベース抵抗である「抵抗ＭＲ３」と、ベース・エミッタ間抵抗である「抵抗ＭＲ４」を含んだ構成が示されている。
「【図２３】
」
　
　次に、電子回路の技術分野において、コネクタの接触不良に基づく接触抵抗の発生により異常電流が流れ、接触抵抗に異常電流が流れることにより生じる電力損失に基づく異常電圧が発生することは、原出願の出願前に電子回路一般の技術分野に限らず、遊技機の技術分野においても広く知られた技術的課題である（以下「周知の課題」という。）。
例えば、原査定の拒絶理由で引用文献３として引用された特開２００５−１７５７４９号公報の【００１４】に「・・・コネクタが斜めに挿入されてコモン端子の
接触状態が不良になっても、異常電流が流れ
　特開２０１３−５９６０１号公報の【０２６６】に「充電経路ＥＬ２２がハーネスＨを介していない分だけ、充電経路ＥＬ２２を短くすることができる。これにより、配線抵抗や
コネクタの接触抵抗による電力損失
　特開２００３−３８７２８号公報の【００４２】に「図７は、図２に示した遊技球検出器２３０の駆動電流あるいは、・・・、あるいは、
制御基板２００と遊技球検出器２３０を接続するコネクタの接触抵抗の増大
　特開平５−９６０５０号公報の【０００５】に「また、導電部材の裏面に誘導樋の下面へ突き出る差込端子を設け、誘導樋の組付後にこれをリード線のコネクタに接続するのも、コネクタと差込端子との間で何回か断続を繰り返すうちに
接触抵抗が次第に大きく変化してしまう
　特開平４−７５６７６号公報の【発明が解決しようとする課題】の項に「そのため、各種入出力部品と電気的制御装置を直接接続せずに、各種入出力部品と電気的制御装置との間に中継基板を介在させ、各種入出力部品より多数のコネクタを介して入力される信号を少数のコネクタを介して電気的制御装置へ出力すると共に、電気的制御装置より少数のコネクタを介して入力される信号を多数のコネクタを介して各入出力部品へ出力する方式か採られている。
　しかし、このように各種入出力部品と電気的制御装置との間に中継基板を介在させると、各種入出力部品と電気的制御装置とを接続する接続線か長くなり、各配線か煩雑となって、当該パチンコ機の修理や日常のメンテナンス時には多大な労力を要すると共に、コネクタの接続ミスやコネクタ抜け、信号線路の断線等が生じ易い。
　しかも、
接触抵抗の高いコネクタ接続部が増えることで、
信号線路中の電力損失が多大な影響を及ぼすことになる
　そして、このようなコネクタの接触抵抗に電流が流れることにより異常電圧が発生するという上記周知の課題が、引用発明における「コネクタＣｏ１〜Ｃｏｎ」を有する「磁気検出回路」の「スイッチングトランジスタＱｓ１〜Ｑｓｎのベース端子」側においても生じる課題であることは、当業者であれば当然把握している技術事項である。
　
　そうであれば、引用発明に上記周知の技術事項２を適用して、引用発明の「スイッチングトランジスタＱｓ１〜Ｑｓｎのベース端子」側において、かさ上げ抵抗を設けて、コネクタＣｏ１〜Ｃｏｎの接触抵抗等による誤動作を防止するように構成することは、当業者であれば容易になし得たものである。
　そして、引用発明に上記周知の技術事項２を適用する際に、引用発明において、「ｎ個のスイッチングトランジスタＱｓ１〜Ｑｓｎ、および、ｎ個のバイアス抵抗（ベース抵抗）Ｒｓ１〜Ｒｓｎ」は、「遊技盤中継基板２９」に「配置され」ていることから、「スイッチングトランジスタＱｓ１〜Ｑｓｎのベース端子」側において、「コネクタＣｏ１〜Ｃｏｎ」の接触抵抗等による誤動作を防止するかさ上げ抵抗は、「各バイアス抵抗（ベース抵抗）Ｒｓ１〜Ｒｓｎの他端」と、「スイッチングトランジスタＱｓ１〜Ｑｓｎのベース端子」の間に設けられることになり、該かさ上げ抵抗を「各バイアス抵抗（ベース抵抗）Ｒｓ１〜Ｒｓｎの他端」、「ｎ個のスイッチングトランジスタＱｓ１〜Ｑｓｎ」と同様に、「遊技盤中継基板２９」に設けることは、当業者が適宜なし得たものである。
　
　なお、引用文献１に記載された技術事項は、「異常レベル」の検出回路における「トランジスタＱ」の「ＯＦＦ動作を担保する」ものであり、「トランジスタＱのベース端子」に「直列接続されている」「３つのダイオードＤａ〜Ｄｃ」は、本件補正発明における「検知回路部の誤検知を回避するために、検知回路部の検出信号の出力が切り換わらないように所定電圧による作用を回避させるツェナーダイオードを用い」ない「電圧かさ上げ部」に相当することから、本件補正発明の構成Ｃ２、Ｄ、Ｄ３の電圧かさ上げ部に関連する構成が示されている。
　
　　　ウ　相違点４について
　上記相違点４について検討する。
　引用発明は、上記（３）（ｅ）によれば、「コネクタＣｏの外部が断線し、対応するトランジスタＱｓｉがＯＮ状態とな」った場合、「スイッチングトランジスタＱｓ１〜Ｑｓｎのコレクタ端子に接続された信号ラインＳＧがＬレベルになる」ものである。
　そして、引用発明において、「コネクタＣｏの外部が断線し」た場合の、「対応するトランジスタＱｓｉのコレクタ端子に接続された信号ラインＳＧ」を「Ｈレベル」とするか、「Ｌレベル」とするのかは、主制御基板２１において、信号処理を行うえで、他の検出をしたときの検出信号をオンとするかオフについての全体のバランス等を考慮して適宜決定されればよいものである。
　
　また、遊技機の技術分野において、制御回路を構成する１つ目のトランジスタの出力側のコレクタ端子に、同じタイプのトランジスタのベース端子側を直列接続することで、１つ目のトランジスタの出力を反転させることは、本願の出願前に周知の技術事項である（以下「周知の技術事項３」という。）。
例えば、上記特開２０１０−６６４７１号公報に示す図８に示す回路図には、デジトラＤＴ２のベース端子側を、同じタイプのトランジスタの出力側のコレクタ端子に直列接続することで出力を反転させることが示され、
　上記特開２０１５−１６０１４号公報に示す図２２に示す回路図には、トランジスタＷＴＲ１の出力側のコレクタ端子に、同じタイプのトランジスタＷＴＲ２のベース端子側を直列接続することで、トランジスタＷＴＲ１の出力を反転させることが示されている。
「【図２２】
」
　
　そうすると、引用発明において、「スイッチングトランジスタＱｓ１〜Ｑｓｎのコレクタ端子」側に上記周知の技術事項３を適用して、「スイッチングトランジスタＱｓ１〜Ｑｓｎのコレクタ端子」側に同じタイプのトランジスタのベース端子側を直列接続することで、「コネクタＣｏの外部が断線し」た場合、「対応するトランジスタＱｓｉのコレクタ端子」側出力を反転させ、「信号ラインＳＧ」を「Ｈレベル」とすることは、当業者が適宜なし得たものである。
　
　　　エ　相違点５について
　上記相違点５について検討する。
　引用発明は、構成ｅにより、「適宜な異常報知動作を実行する」ものである。
　また、引用発明は、「液晶カラーディスプレイで構成された表示装置ＤＩＳＰが遊技盤５に配置された」ものである。
　ところで、遊技機の技術分野において、遊技盤に設けられた演出表示装置において異常報知を行うことは、本願出願前に広く行われている技術事項である（以下、「周知の技術事項４」という。）。
　例えば、特開２０１４−９０８２０号公報の【０１５３】に「表示領域６７に「Warning!!」の文字が表示された態様となっているが、異常の内容が明確である場合には、「エラー１６」のように具体的に表示してもよい。」との記載があり、
　特開２０１０−１７９１４２号公報に「エラーメッセージは、エラーコマンドごとに、それぞれ図柄表示部１０４における異なる位置に表示される。これによって、複数のエラーが同時に発生した場合にも、発生したエラーの内容を図柄表示部１０４を介して報知することができる。」（【００７４】）との記載がある。
　そうすると、引用発明に上記周知の技術事項４を適用して、「適宜な異常報知動作」の「実行」を、「遊技盤５に配置された」「表示装置ＤＩＳＰ」にて行うことは、当業者が適宜なし得たものである。
　
　　　オ　請求人の主張について
　請求人は、令和１年１１月２７日付け審判請求書において、次の主張をしている。
「１）審査官殿のご認定について」に記載した審査官殿のご認定に鑑み、補正後の本願発明は前述した第１補正事項により「・・・前記検知回路部の前記検出信号の出力が切り換わ
らないように前記所定電圧による作用を回避させるツェナーダイオードを用いずに抵抗素子からなる電圧かさ上げ部を有し
　この補正により、本願発明における「電圧かさ上げ部」が「ツェナーダイオード」で構成されるものを包含しないものであることが明らかになったものと思料いたします。
　
　このため、引用文献２−４に記載された「コネクタの接触不良や残留電圧による影響を回避するため、下限電圧よりも高くツェナー電圧（上限電圧）よりも低い所定の電圧が印加されても、印加された箇所に対する前記所定の電圧による作用を回避するツェナーダイオードを備える」という技術を引用文献１に対してどのように適用しても、補正後の本願発明に想到しないことは明らかであります。」（［４］２）補正後の本願発明について）
　
　そこで、請求人の上記主張について検討する。
　審決では、審判請求時に提出された手続補正書（令和１年１１月２７日付け）の特許請求の範囲の請求項１により、構成Ｅについて限定された事項を含む特定事項を、上記「（３）対比」において、本件補正発明と引用発明との相違点（構成Ｅ）として抽出した。そして、上記イにおいて、請求人が主張する審判請求時の補正に係る技術事項である「抵抗素子からなる電圧かさ上げ部」を設けることが、原出願の出願前に周知の技術事項１であると認定し、上記ウにおいて、引用発明に当該周知の技術事項１を適用することは、当業者が容易になし得たものであるとした。
　したがって、請求人の上記主張を採用することはできない。
　
　　　カ　小括
　本件補正発明により奏される効果は、当業者が、引用発明、および、上記周知の技術事項１〜４から予測し得た効果の範囲内のものであって、格別なものではない。
　よって、本件補正発明は、引用発明、および、上記周知の技術事項１〜４に基いて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成３０年７月５日付け手続補正書の請求項１に記載された、次のとおりのものと認める。
「Ａ−２　遊技盤に配置された複数の検出センサ部と、
　Ｂ１−２　複数の前記検出センサ部の一部の検出センサ部はコネクタ部材により接続され、当該検出センサ部からの信号を直接主制御基板に入力する一方で、複数の前記検出センサ部の直接主制御基板に入力する検出センサ部以外の検出センサ部がコネクタ部材により接続されて、当該検出センサ部からの信号を前記主制御基板に伝送する中継基板とが備えられた遊技機において、
　Ｃ１　前記中継基板は、センサ信号入力部と検知回路部とを備え、
　Ｃ２　前記センサ信号入力部は、電圧出力部と該電圧出力部に電気的に接続されている電圧かさ上げ部を有し、
　Ｃ３　前記検知回路部には、複数の前記センサ信号入力部が電気的に接続されており、
　Ｂ２−２　前記中継基板は前記主制御基板とさらにコネクタ部材により接続され、前記中継基板を介して伝送する信号が前記主制御基板に入力され、
　Ｄ　前記中継基板には、
　　Ｄ１−２　前記検出センサ部が第１の状態のときは第１の電圧とする一方、前記検出センサ部が第２の状態のときは前記第１の電圧よりも低い電圧である第２の電圧とする電圧出力部と、
　　Ｄ２　前記電圧出力部からの前記第１の電圧または前記第２の電圧に対応して検出信号の出力のオンオフを切り換える検知回路部と、
　　Ｄ３−２　前記検出センサ部と前記電圧出力部とが前記検出センサ部を前記中継基板に接続するコネクタ部材を介して電気的に接続され、当該コネクタ部材に起因する前記第２の電圧よりも高く前記第１の電圧よりも低い所定の電圧が印加されても、前記検知回路部に対する前記所定の電圧による作用を回避するために、前記検知回路部の前記検出信号の出力が切り換わるための前記電圧出力部からの電圧をかさ上げする電圧かさ上げ部が備えられ、
　前記検知回路部が、
　Ｅ−２前記検出センサ部が断線し、前記電圧出力部が前記第１の電圧とされて前記検出信号の出力をオンしたとき、報知手段が、前記遊技盤に設けられた演出表示装置において報知をする
　Ｆ　ことを特徴とする遊技機。」
　
　２　原査定の拒絶の理由
　（進歩性）この出願の請求項１に係る発明は、その出願前に日本国内において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　＜引用文献等一覧＞
　　１.特開２０１２−９５８３５号公報
　　２.特開２００１−１２９２０７号公報（周知技術等を示す文献）
　　３.特開２００５−１７５７４９号公報（周知技術等を示す文献）
　　４.特開平４−２６６３８８号公報（周知技術等を示す文献）
　
　３　引用文献に記載された事項
　原査定の拒絶の理由に引用文献として引用された引用文献１の記載事項、および、引用発明の認定については、前記「第２［理由］　２　２−２（２）引用発明」に記載したとおりである。
　
　４　対比・判断
　本願発明は、前記「第２［理由］　２　２−２（１）」で検討した本件補正発明から、「検出センサ部」に関して、
　構成Ａに「遊技盤に配置された複数の
磁気
遊技球を検出する始動口センサ部
　構成Ｂ１に「
前記
　同じく、構成Ｂ１、Ｂ２に「複数の前記
磁気
からの信号は前記中継基板を介して前記主制御基板の前記主制御入力回路へ入力する
主
電気的に
され
の前記主制御入力回路
　また、構成Ｄ３の「電圧かさ上げ部」に関して、「当該
副
発生する接触抵抗に
定電
定電
らないように前記所定電圧による作用を回避させるツェナーダイオードを用いずに抵抗素子からなる
　さらに、構成Ｅに「検出センサ部
と接続される前記副コネクタ部材
　そうすると、前記「第２［理由］　２　２−２（３）対比」における検討内容からみて、本願発明と引用発明とは、前記相違点１、２、４、５において相違するとともに、構成Ｄ、Ｄ３−２について、次の点で相違し、その余の点において一致する。
　
［相違点３−２］（構成Ｄ、Ｄ３−２）
　本願発明は、電圧かさ上げ部が、副コネクタ部材に起因する第２の電圧よりも高く第１の電圧よりも低い所定の電圧が印加されても、検知回路部に対する所定の電圧による作用を回避するために、検知回路部の検出信号の出力が切り換わるための電圧出力部からの電圧をかさ上げするものであり、中継基板に備えられているのに対して、引用発明は、そのような構成を備えない点。
　
　前記相違点１、４、５の判断については、前記「第２［理由］　２　２−２（４）ア、ウ、エ」において検討したとおり、引用発明に基づいて当業者が容易になし得たものである。
　そこで、前記相違点２、上記相違点３−２について検討する。
　前記相違点２、上記相違点３−２は、いずれも電圧かさ上げ部に関する事項であるので、まとめて検討する。
　遊技機の技術分野において、コネクタの接触不良や残留電圧による影響を回避するために、下限電圧よりも高くツェナー電圧（上限電圧）よりも低い所定の電圧が印加されても、印加された箇所に対する所定の電圧による作用を回避するツェナーダイオードを素子の入力側に設けることは、原出願の出願前に周知の技術事項である（以下「周知の技術事項５」という。）。
　例えば、原査定の拒絶の理由で引用文献２として通知した、特開２００１−１２９２０７号公報には、以下の記載がある。
「【０００７】さらに、例えば、
センサスイッチ９０３が２線式の近接スイッチである場合については、非検出状態では出力電圧（残留電圧）が存在するが、この電圧がツェナーダイオードＺＤ２のツェナー電圧より低く設定されている為、ツェナーダイオードＺＤ２はＯＦＦの状態であり、従って、トランジスタＴｒ2もＯＦＦの状態となり、検出及び電圧変換回路９０４の出力端はＨレベル信号を有する状態となる。また、センサスイッチ９０３が検出状態においては、出力電圧（残留電圧）がツェナーダイオードＺＤ２のツェナー電圧より高くなる為、ツェナーダイオードＺＤ２はＯＮの状態となり、従って、トランジスタＴｒ2もＯＮの状態となり、検出及び電圧変換回路９０４の出力端はＬレベル信号を有する状態となる。
「【図１４】
」
　
　同じく、原査定の拒絶の理由で引用文献３として通知した、上記特開２００５−１７５７４９号公報には、以下の記載がある。
「【００１４】
　従って本発明が解決しようとする課題は、
コネクタが斜めに挿入されてコモン端子の接触状態が不良になっても、異常電流が流れて本来オフであるべきフォトカプラがオンになることがない多点デジタル入力回路および２重化された多点デジタル入力回路を提供することにある
・・・
【００２４】
　
コモンの接続が不完全であってもこの双方向性ツェナダイオードに阻止されて異常電流が流れることがないので、本来オフになるべきフォトカプラがオンになることがなくなる
・・・
【００３６】
　前述したように、これらの
双方向性ツェナダイオードのツェナ電圧は、入力信号の最大電圧の１／３以上になるように選択されている。そのため、経路３３に電流が流れることはなく、デジタル入力部１２内のフォトカプラはオフになる
「【図１】
」
「【図２】
」
　
　したがって、本件補正発明に関する、前記「第２［理由］　２　２−２（４）イ　相違点２、３について」において検討したように、引用発明における「コネクタＣｏ１〜Ｃｏｎ」を有する「磁気検出回路」の「スイッチングトランジスタＱｓ１〜Ｑｓｎのベース端子」側においても、コネクタの接触抵抗に電流が流れることにより異常電圧が発生するという課題を内在するものである。
　そうすると、引用発明と上記周知の技術事項５とは、コネクタの接触不良や残留電圧等による影響を回避するという共通の課題を解決するものである。
　よって、引用発明に上記周知の技術事項５を適用して、「遊技盤中継基板２９」の「各バイアス抵抗（ベース抵抗）Ｒｓ１〜Ｒｓｎの他端」と「スイッチングトランジスタＱｓ１〜Ｑｓｎのベース端子」の間にツェナーダイオードからなる電圧かさ上げ部を設け、コネクタの接触不良等による影響を回避し、前記相違点２、および、上記相違点３−２に係る本願発明の構成とすることは、当業者が容易になし得たものである。
　
　５　むすび
　上記１〜４より、本願発明は、特許法第２９条第２項の規定により特許を受けることができない。
　したがって、本願は拒絶すべきものである。
　よって、結論のとおり審決する。